(57)【特許請求の範囲】
【請求項１】
無線通信網において実行され、キャリアアグリゲーション用に構成されたＵＥ（Ｕｓｅｒ Ｅｑｕｉｐｍｅｎｔ）によるＰＨＩＣＨ（ｐｈｙｓｉｃａｌ ｈｙｂｒｉｄ−ＡＲＱ（ａｕｔｏｍａｔｉｃ ｒｅｐｅａｔ ｒｅｑｕｅｓｔ） ｉｎｄｉｃａｔｏｒ ｃｈａｎｎｅｌ）受信のための１以上のリンケージ方式間で、ダウンリンク（ＤＬ：ｄｏｗｎｌｉｎｋ）コンポーネントキャリアを設定する方法であって、
（ａ）基地局から前記ＵＥへインジケータを提供し、
（ｂ）前記ＵＥにて、前記インジケータの値に基づき、ＰＨＩＣＨキャリアリンケージがダイナミック又はセル固有のいずれであるかを判定する、
ことを含む方法。
【請求項２】
前記インジケータは、信号中の単一ビットである、請求項１に記載の方法。
【請求項３】
前記インジケータは、アップリンク（ＵＬ：ｕｐｌｉｎｋ） ｇｒａｎｔ中に設けられる単一ビットである、請求項１に記載の方法。
【請求項４】
前記インジケータは、アップリンク（ＵＬ：ｕｐｌｉｎｋ） ｇｒａｎｔ用のＤＣＩ（ｄｏｗｎｌｉｎｋ ｃｏｎｔｒｏｌ ｉｎｆｏｒｍａｔｉｏｎ）フォーマット中に設けられる単一ビットである、請求項１に記載の方法。
【請求項５】
前記単一ビットが前記ＵＬ ｇｒａｎｔ用の前記ＤＣＩフォーマットに導入される場合、前記単一ビットは、ＰＤＣＣＨ（Ｐｈｙｓｉｃａｌ Ｄｏｗｎｌｉｎｋ Ｃｏｎｔｒｏｌ Ｃｈａｎｎｅｌ）キャリアインジケータが存在する場合にのみ前記ＤＣＩフォーマット中に存在する、請求項４に記載の方法。
【請求項６】
前記インジケータは、上位レイヤシグナル中に設けられる単一ビットである、請求項１に記載の方法。
【請求項７】
前記上位レイヤシグナルは、ＲＲＣ（Ｒａｄｉｏ Ｒｅｓｏｕｒｃｅ Ｃｏｎｔｒｏｌ）シグナル又はＭＡＣ（Ｍｅｄｉｕｍ Ａｃｃｅｓｓ Ｃｏｎｔｒｏｌ）シグナルを含む、請求項６に記載の方法。
【請求項８】
前記（ｂ）で、前記ＰＨＩＣＨキャリアリンケージがダイナミックである場合、アップリンク（ＵＬ：ｕｐｌｉｎｋ） ｇｒａｎｔ送信に用いられるＤＬコンポーネントキャリア上でＰＨＩＣＨを送信する、
ことをさらに含む請求項１に記載の方法。
【請求項９】
前記基地局にて、前記（ｂ）で判定されたＰＨＩＣＨキャリアリンケージを設定する、
ことをさらに含む請求項１に記載の方法。
【請求項１０】
無線通信網に用いられ且つキャリアアグリゲーション用に構成されたＵＥ（Ｕｓｅｒ Ｅｑｕｉｐｍｅｎｔ）において実行され、ＰＨＩＣＨ（ｐｈｙｓｉｃａｌ ｈｙｂｒｉｄ−ＡＲＱ（ａｕｔｏｍａｔｉｃ ｒｅｐｅａｔ ｒｅｑｕｅｓｔ） ｉｎｄｉｃａｔｏｒ ｃｈａｎｎｅｌ）受信のための１以上のリンケージ方式間で、ダウンリンク（ＤＬ：ｄｏｗｎｌｉｎｋ）コンポーネントキャリアを設定する方法であって、
（ａ）基地局からインジケータを受信し、
（ｂ）前記インジケータの値に基づき、ＰＨＩＣＨキャリアリンケージがダイナミック又はセル固有のいずれであるかを判定する、
ことを含む方法。
【請求項１１】
前記インジケータは、信号中の単一ビットである、請求項１０に記載の方法。
【請求項１２】
前記インジケータは、アップリンク（ＵＬ：ｕｐｌｉｎｋ） ｇｒａｎｔ中に設けられる単一ビットである、請求項１０に記載の方法。
【請求項１３】
前記インジケータは、アップリンク（ＵＬ：ｕｐｌｉｎｋ） ｇｒａｎｔ用のＤＣＩ（ｄｏｗｎｌｉｎｋ ｃｏｎｔｒｏｌ ｉｎｆｏｒｍａｔｉｏｎ）フォーマット中に設けられる単一ビットである、請求項１０に記載の方法。
【請求項１４】
前記単一ビットが前記ＵＬ ｇｒａｎｔ用の前記ＤＣＩフォーマットに導入される場合、前記単一ビットは、ＰＤＣＣＨ（Ｐｈｙｓｉｃａｌ Ｄｏｗｎｌｉｎｋ Ｃｏｎｔｒｏｌ Ｃｈａｎｎｅｌ）キャリアインジケータが存在する場合にのみ前記ＤＣＩフォーマット中に存在する、請求項１３に記載の方法。
【請求項１５】
前記インジケータは、上位レイヤシグナル中に設けられる単一ビットである、請求項１０に記載の方法。
【請求項１６】
前記上位レイヤシグナルは、ＲＲＣ（Ｒａｄｉｏ Ｒｅｓｏｕｒｃｅ Ｃｏｎｔｒｏｌ）シグナル又はＭＡＣ（Ｍｅｄｉｕｍ Ａｃｃｅｓｓ Ｃｏｎｔｒｏｌ）シグナルを含む、請求項１５に記載の方法。
【請求項１７】
前記（ｂ）で、前記ＰＨＩＣＨキャリアリンケージがダイナミックである場合、アップリンク（ＵＬ：ｕｐｌｉｎｋ） ｇｒａｎｔ送信に用いられるＤＬコンポーネントキャリア上でＰＨＩＣＨを受信する、
ことをさらに含む請求項１０に記載の方法。
【請求項１８】
前記（ｂ）で判定されたＰＨＩＣＨキャリアリンケージを設定する、
ことをさらに含む請求項１０に記載の方法。
【請求項１９】
無線通信網に用いられる基地局において実行され、キャリアアグリゲーション用に構成されたＵＥ（Ｕｓｅｒ Ｅｑｕｉｐｍｅｎｔ）によるＰＨＩＣＨ（ｐｈｙｓｉｃａｌ ｈｙｂｒｉｄ−ＡＲＱ（ａｕｔｏｍａｔｉｃ ｒｅｐｅａｔ ｒｅｑｕｅｓｔ） ｉｎｄｉｃａｔｏｒ ｃｈａｎｎｅｌ）受信のための１以上のリンケージ方式間で、ダウンリンク（ＤＬ：ｄｏｗｎｌｉｎｋ）コンポーネントキャリアを設定する方法であって、
前記ＵＥへインジケータを提供する、ことを含み、
前記ＵＥは、前記インジケータの値に基づき、ＰＨＩＣＨキャリアリンケージがダイナミック又はセル固有のいずれであるかを判定する、
方法。
【発明の詳細な説明】
【技術分野】
【０００１】
本発明は、無線通信システムに関し、特に１以上のＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)キャリアリンケージ方式間でダウンリンクコンポーネントキャリアを設定する方法に関する。
【背景技術】
【０００２】
ＬＴＥ−Ａ(Ｌｏｎｇ Ｔｅｒｍ Ｅｖｏｌｕｔｉｏｎ−Ａｄｖａｎｃｅｄ)は、３Ｇ移動体通信デバイスの活用を目的とした発展的な移動体通信標準である。ＬＴＥ−Ａの特徴は、より広い伝送帯域幅をサポートするために２以上のコンポーネントキャリアが集約されるキャリアアグリゲーションにある。
【０００３】
キャリアアグリゲーションはＵＥ(Ｕｓｅｒ Ｅｑｕｉｐｍｅｎｔ)に固有である、換言すると、移動体通信網の同一セル中の各ＵＥが異なるキャリアアグリゲーションの設定を有し得ると考えられる。
【０００４】
キャリアアグリゲーションが対称(換言すると、同一数のダウンリンクコンポーネントキャリア及びアップリンクコンポーネントキャリア)である場合、一般に、ＤＬ(ｄｏｗｎｌｉｎｋ)コンポーネントキャリア及びＵＬ(ｕｐｌｉｎｋ)コンポーネントキャリアは、セル固有の方式で対になって関連付けされる。しかしながら、非対称なキャリアアグリゲーションのケースにおいて、ＵＬコンポーネントキャリアより多くのＤＬコンポーネントキャリアが存在する場合及びその逆の場合、２以上のＤＬコンポーネントキャリアが、セル固有の方式で１つのＵＬコンポーネントキャリアに関連付けされ得る。
【０００５】
ＵＥは、一旦キャリアアグリゲーションで設定されると、集約された全てのコンポーネントキャリア上での一斉受信又は送信を行うことが可能である。よって、ＵＥは、多数のコンポーネントキャリア上に同時にスケジュールされ得る。
【０００６】
一般に、ＵＥは、ＵＬ ｇｒａｎｔを受信して初めて、特定のＵＬコンポーネントキャリア上のＰＵＳＣＨ(Ｐｈｙｓｉｃａｌ Ｕｐｌｉｎｋ Ｓｈａｒｅｄ Ｃｈａｎｎｅｌ)を介した送信を許可される。ＵＥがＵＬコンポーネントキャリア上のＰＵＳＣＨを介してデータを送信した後、ＡＣＫ又はＮＡＣＫが帰属先のｅＮｏｄｅＢから送信されると期待される。発生する問題は、利用可能な２以上のＤＬコンポーネントキャリアが存在する場合に、どのＤＬコンポーネントキャリアをＰＨＩＣＨ送信に用いるべきかという点にある。
【０００７】
ＰＨＩＣＨキャリアリンケージの問題は、現在３ＧＰＰで検討されているＰＤＣＣＨ(Ｐｈｙｓｉｃａｌ Ｄｏｗｎｌｉｎｋ Ｃｏｎｔｒｏｌ Ｃｈａｎｎｅｌ)とＰＵＳＣＨの間のリンケージの問題にも関連する。
【０００８】
ＰＨＩＣＨキャリアリンケージの問題を解決するために、(１)ＰＨＩＣＨ送信用のＤＬコンポーネントキャリアをＵＬ ｇｒａｎｔの送信に用いるものと同一にする、又は（２）ＰＨＩＣＨ送信用のＤＬコンポーネントキャリアを、セル固有の方式でＰＵＳＣＨ送信に用いるＵＬコンポーネントキャリアにリンクさせるという２つのオプションへの試みがなされている。
【発明の概要】
【発明が解決しようとする課題】
【０００９】
オプション１の問題点は、(特に、移動体通信網によく見られるヘテロジニアスなネットワークにおいては)ＰＨＩＣＨ送信をＵＬ ｇｒａｎｔが送信されたＤＬコンポーネントキャリア上に強いるのが常に有益では無いことにある。また、各コンポーネントキャリアにおけるＰＨＩＣＨリソースの総量が(Ｐｈｙｓｉｃａｌ Ｂｒｏａｄｃａｓｔ Ｃｈａｎｎｅｌを介して)半静的に設定されており、それ故にＰＨＩＣＨ容量を動的には調整できないという点で潜在的な更なる問題がある。ＰＤＣＣＨ及び対応するＰＨＩＣＨをいずれかのＤＬコンポーネントキャリア上に動的にスケジュール可能であるならば、ＰＨＩＣＨブロッキング(リソース不足に因ってＰＨＩＣＨをスケジュールできないこと)を防止するために、各コンポーネントキャリアに対して大量のＰＨＩＣＨリソースを用意する必要があるだろう。但し、利用可能なＰＨＩＣＨリソースの総量と比して相対的に少量のＰＨＩＣＨリソースのみが常に使用されるだろうから、ＰＨＩＣＨリソースの利用度は低くなり得る。
【００１０】
オプション１の他の問題点は、同一のＤＬコンポーネントキャリア上で送信された２つの異なるＵＥ用の２つのＵＬ ｇｒａｎｔが存在する場合に、２つの独立したＵＬコンポーネントキャリア上でのＰＵＳＣＨ送信を許可してしまうことにある。ＵＬ ＰＲＢ(Ｐｈｙｓｉｃａｌ Ｒｅｓｏｕｒｃｅ Ｂｌｏｃｋ)インデックス中の最低のものと、ＵＬコンポーネントキャリア毎のＤＭ ＲＳ(Ｄｅｍｏｄｕｌａｔｉｏｎ Ｒｅｆｅｒｅｎｃｅ Ｓｉｇｎａｌ)巡回シフトとが一致する場合、ＰＨＩＣＨリソースの衝突が生じ得る。この衝突は、ＵＬ ｇｒａｎｔ中に異なるＤＭ ＲＳ巡回シフトを割り当てることによって回避され得る。しかしながら、これは、各ＵＬコンポーネントキャリアにとって、より少数のＵＥがＵＬ ＭＵ−ＭＩＭＯ(Ｍｕｌｔｉ−Ｕｓｅｒ Ｍｕｌｔｉｐｌｅ−Ｉｎｐｕｔ Ｍｕｌｔｉｐｌｅ−Ｏｕｔｐｕｔ)動作のためのＵＬ中に空間的に多重されてしまうことも意味する。
【００１１】
さらに、オプション２は、(例えば、特に移動体通信網によく見られるヘテロジニアスなネットワークにおいて)ＰＨＩＣＨを高干渉を伴うＤＬコンポーネントキャリアから保護する必要がある場合には効果が無い。
【００１２】
上記に鑑みると、キャリアアグリゲーション対応のＵＥにとっては、ＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)送信に用いるＤＬ(ｄｏｗｎｌｉｎｋ)コンポーネントキャリアを、ＵＥ(Ｕｓｅｒ Ｅｑｕｉｐｍｅｎｔ)で設定可能に提供することが望ましいであろう。
【００１３】
当然のことながら、先行技術として与えられるあらゆる事項に対するここでの言及は、本明細書の一部を構成する特許請求の範囲の優先日の時点で、その事項がオーストラリア若しくは他の国々で既に知られていた、又はその事項に含まれる情報が技術常識の一部であったことの認定としては解釈されない。
【課題を解決するための手段】
【００１４】
この点を踏まえ、本発明の一態様は、キャリアアグリゲーション用に構成されたＵＥ（Ｕｓｅｒ Ｅｑｕｉｐｍｅｎｔ）による移動体通信網上でのＰＨＩＣＨ受信のための１以上のリンケージ方式間で、ダウンリンクコンポーネントキャリアを設定する方法であって、（ａ）インジケータを提供するステップと、（ｂ）前記インジケータの値に基づき、ＰＨＩＣＨキャリアリンケージをダイナミックリンケージ又はセル固有のいずれにすべきか決定するステップとを含む方法を提供する。
【００１５】
好ましくは、前記インジケータは、信号中の単一ビットである。好ましくは、前記インジケータは、ＵＬ（ｕｐｌｉｎｋ） ｇｒａｎｔ中に設けられる単一ビットである。
【００１６】
好ましくは、前記インジケータは、ＵＬ ｇｒａｎｔ用のＤＣＩフォーマット中に設けられる単一ビットである。
【００１７】
好ましくは、前記インジケータは、ＵＬ ｇｒａｎｔ用のＤＣＩフォーマットに導入され、ＰＤＣＣＨキャリアインジケータも存在するかどうかのＤＣＩフォーマット中にのみ存在する。
【００１８】
好ましくは、前記インジケータは、上位レイヤシグナル中に設けられる単一ビットである。
【００１９】
好ましくは、前記上位レイヤシグナルは、ＲＲＣ（Ｒａｄｉｏ Ｒｅｓｏｕｒｃｅ Ｃｏｎｔｒｏｌ）シグナル又はＭＡＣ（Ｍｅｄｉｕｍ Ａｃｃｅｓｓ Ｃｏｎｔｒｏｌ）シグナルを含む。
【００２０】
好ましくは、ステップ（ｂ）でＰＨＩＣＨキャリアリンケージをダイナミックにすべき場合、前記方法は、ＵＬ ｇｒａｎｔ送信に用いられるＤＬ（ｄｏｗｎｌｉｎｋ）コンポーネントキャリア上での送信を行うステップをさらに含む。
【００２１】
好ましくは、前記方法は、前記移動体通信網に帰属するｅＮｏｄｅＢが、ステップ（ｂ）で決定されたＰＨＩＣＨキャリアリンケージを設定するステップをさらに含む。
【発明の効果】
【００２２】
好都合に、本発明は、特定のＵＥを用いてリンクアグリゲーションを設定する場合に、ダウンリンクコンポーネントキャリアをＰＨＩＣＨ送信に用いること、及び２つのリンケージ方式間、すなわち、ＵＬ ｇｒａｎｔに用いるＤＬコンポーネントキャリアに基づく方式とセル固有のＵＬ／ＤＬコンポーネントキャリアリンケージに基づく方式との間において、ダウンリンクコンポーネントキャリアをＵＥ(Ｕｓｅｒ Ｅｑｕｉｐｍｅｎｔ)で設定可能にすることができる。
【００２３】
更なる効果において、本発明は、ＵＥへのシグナリング(例えば、明示的に示すのであればＤＣＩフォーマット中のたったの１ビット)の観点から、最小限のコストのみを発生させる。
【００２４】
好都合に、ＰＨＩＣＨキャリアインジケータビットは、ＵＬ ｇｒａｎｔ用のＤＣＩフォーマットに導入される場合、ＰＤＣＣＨキャリアインジケータを備えたＤＣＩフォーマット中に存在するだけで良く、この構成は、ＵＥが行う必要のあるブラインドデコードの試行総数がＰＨＩＣＨキャリアインジケータビットの導入に因る影響を受け無いことを保証する。
【図面の簡単な説明】
【００２５】
【図１Ａ】現存のＬＴＥ−ＡシステムにおけるＵＬ ｇｒａｎｔの概略図である。
【図１Ｂ】本発明のＵＬ ｇｒａｎｔの概略図である。
【図２】本発明に係るＰＨＩＣＨダイナミックリンケージ及びセル固有リンケージを有するキャリアアグリゲーションの概念図である。
【図３】本発明の方法のフローチャート図である。
【発明を実施するための形態】
【００２６】
以下の説明は、本発明の様々な特徴及びステップを詳細に言及する。本発明の理解を容易にするため、説明においては、本発明が好適な実施の形態に示された添付図面について言及する。但し、当然のことながら、本発明は図面に示される好適な実施の形態には限定されない。
【００２７】
図１Ａを参照すると、現存のＬＴＥ−ＡシステムにおけるＵＬ ｇｒａｎｔの概略図が示されている。この場合において、サブフレーム１００は、ＤＣＩペイロード１０５を含むが、ＰＤＣＣＨキャリアインジケータフィールド１１５を含まない。ＤＣＩペイロード１０５を含むが、今度はＰＤＣＣＨキャリアインジケータフィールド１１５を含む別のサブフレーム１１０も示されている。
【００２８】
図１Ｂは、本発明のＵＬ ｇｒａｎｔの概略図である。同様に、ＤＣＩペイロード１０５を含むサブフレーム１００が示されている。ＤＣＩペイロード１０５及びＰＤＣＣＨキャリアインジケータフィールド１１５を含むサブフレーム１１０も示されている。更に、ＰＨＩＣＨキャリアインジケータビット１２０が含まれる。ＰＨＩＣＨキャリアインジケータビット１２０は、ＰＤＣＣＨキャリアインジケータフィールド１１５もＵＬ ｇｒａｎｔ中に存在する場合にのみ存在する。具体的には、本発明は、単一ビット、すなわちＰＨＩＣＨキャリアインジケータビット１２０をＵＬ ｇｒａｎｔ或いは上位レイヤシグナル(例えば、ｒａｄｉｏ ｒｅｓｏｕｒｃｅ ｃｏｎｔｒｏｌシグナル)に導入して、ＰＨＩＣＨキャリアリンケージを、ＵＬ ｇｒａｎｔに用いるＤＬコンポーネントキャリア(参照し易いように、ダイナミックリンケージと呼称する)又はセル固有のＵＬ／ＤＬコンポーネントキャリアリンケージ(参照し易いように、セル固有リンケージと呼称する)のいずれに基づかせるべきかを示す。好都合に、ＰＨＩＣＨキャリアインジケータビット１２０は、ＵＬ ｇｒａｎｔ用のＤＣＩフォーマットに導入される場合、図１Ｂのサブフレーム１１０に示すようなＰＤＣＣＨキャリアインジケータフィールド１１５を備えたＤＣＩフォーマット中に存在するだけで良い。好都合に、この構成は、ＵＥが行う必要のあるブラインドデコードの試行総数が、ＰＨＩＣＨキャリアインジケータビット１２０の導入の影響を受け無いことを保証する。
【００２９】
ＰＨＩＣＨキャリアインジケータビット１２０を用いた動作は次の通りである。例えば、セル固有リンケージは、デフォルトの送受信分離若しくはＳＩＢ２(Ｓｙｓｔｅｍ Ｉｎｆｏｒｍａｔｉｏｎ Ｂｌｏｃｋ ２)中のＵＬ−Ｃａｒｒｉｅｒ Ｆｒｅｑパラメータに応じたセル固有のＵＬ／ＤＬコンポーネントキャリアのペアリングに基づくか、又はセル内の全てのＵＥへブロードキャストされるＲＲＣ等の上位レイヤシグナルに基づくことができる。
【００３０】
好ましくは、ｅＮｏｄｅＢ(図示せず)が、必要に応じて、ＰＨＩＣＨキャリアリンケージをダイナミック又はセル固有にすべきかを設定する。ＰＤＣＣＨキャリアインジケータフィールド１１５がｅＮｏｄｅＢによって設定され、且つｅＮｏｄｅＢがＰＤＣＣＨキャリアインジケータフィールド１１５及びセル固有リンケージを示すＰＨＩＣＨキャリアインジケータビット１２０を備えたＵＬ ｇｒａｎｔを送信する場合、ＵＥは、ＵＬ ｇｒａｎｔ及びＰＨＩＣＨキャリアインジケータビット１２０を検出した際、ＰＨＩＣＨ用のＤＬコンポーネントキャリアが、対応するＰＵＳＣＨ送信に用いるＵＬコンポーネントキャリアとのセル固有リンケージによって決定されたと判断するであろう。
【００３１】
同様に、ｅＮｏｄｅＢがＵＥに対してダイナミックリンケージを示すためにＰＨＩＣＨキャリアインジケータビット１２０を用いる場合、ＵＥは、ＰＨＩＣＨが、ＵＬ ｇｒａｎｔの送信に用いられたＤＬキャリアコンポーネント上に送信されると判断する。
【００３２】
本発明に係るＰＨＩＣＨダイナミックリンケージ及びセル固有リンケージを有するキャリアアグリゲーションの概念図である図２に示されるものが最良である。図２は、２つのＤＬキャリアコンポーネント２００(ＤＬ ＣＣ ＃０及びＤＬ ＣＣ ＃１)と、２つのＵＬキャリアコンポーネント２０５(ＤＬ ＣＣ＃０及びＤＬ ＣＣ＃１)とを含む。ＵＬ ＣＣ ＃０及びＵＬ ＣＣ ＃１は、セル固有リンケージ２２０によって、ＤＬ ＣＣ ＃０及びＤＬ ＣＣ ＃１にそれぞれリンクされる。一方、ＵＬ ＣＣ ＃１及びＤＬ ＣＣ ＃０は、ダイナミックリンケージ２１５によってリンクされる。一例として、ＵＬ ＣＣ ＃１用のＵＬ ｇｒａｎｔが、ＤＬ ＣＣ ＃０中に送信される。ＰＨＩＣＨキャリアインジケータビット１２０がダイナミックリンケージを示すように設定された場合、対応するＰＨＩＣＨは、ＤＬ ＣＣ ＃０上に送信される。一方、セル固有リンケージがＰＨＩＣＨキャリアインジケータビット１２０を介して示された場合には、対応するＰＨＩＣＨは、ＤＬ ＣＣ ＃１上に送信される。好都合に、本発明は、特定のＵＥを用いてリンクアグリゲーションを設定する場合に、ＤＬコンポーネントキャリアをＰＨＩＣＨ送信に用いること、及び２つのリンケージ方式間、すなわち、ＵＬ ｇｒａｎｔに用いるＤＬコンポーネントキャリアに基づく方式とセル固有のＵＬ／ＤＬコンポーネントキャリアリンケージに基づく方式との間において、ＤＬコンポーネントキャリアをＵＥで設定可能にすることができる。
【００３３】
更なる効果において、本発明の構成は２つの方式が持つ利点を活用し、特に本発明は、ＰＤＣＣＨスケジューリング及びＰＨＩＣＨスケジューリングのデカップリングを許可するセル固有のＵＬ／ＤＬコンポーネントキャリアリンケージを可能にする。この結果、コンポーネントキャリア間に亘るＰＤＣＣＨスケジューリングが動的であり、コンポーネントキャリア毎に利用可能なＰＨＩＣＨリソースの総量が相対的に静的であり得る。本発明の更なる効果は、ＰＨＩＣＨを、ＰＨＩＣＨキャリアインジケータビット１２０の利用によって柔軟であり得るＵＬ ｇｒａｎｔの送信に用いたＤＬコンポーネントキャリア上で送信することによって、必要に応じてＰＨＩＣＨスケジューリングを柔軟にできることである。これは、幾つかのＤＬコンポーネントキャリアが高干渉を抱え、これらの干渉に支配されるＤＬコンポーネントキャリアの制御チャネル(ＰＤＣＣＨ及びＰＨＩＣＨ)を干渉の低い他のＤＬコンポーネントキャリア上に送信することによって保護する必要がある展開シナリオにとって(例えば、ヘテロジニアスなネットワークにおいて)好都合である。
【００３４】
本発明の更なる効果は、セル固有のＵＬ／ＤＬコンポーネントキャリアリンケージを適用不可能な方式にてＵＥ固有の非対称なキャリアアグリゲーションを設定する場合に、ＰＨＩＣＨ送信のためのＵＬコンポーネントキャリア及びＤＬコンポーネントキャリアの柔軟な関連付けを提供することである。
【００３５】
更なる効果において、本発明は、ＵＥへのシグナリング(例えば、明示的に示すのであればＤＣＩフォーマット中のたったの１ビット)の観点から、最小限のコストのみを発生させる。
【００３６】
図３は、本発明の方法３００を示している。ステップ３０５にて、ＵＥは、ＵＬ ｇｒａｎｔ用のＤＣＩフォーマット(例えば、ＤＣＩフォーマット０)がＰＤＣＣＨキャリアインジケータフィールド１１５及びＰＨＩＣＨキャリアインジケータビット１２０を含むものか否かを判定する。このステップは、ＲＲＣのようなＵＥへの直接的な上位レイヤシグナルを介して実行される。ステップ３０５で、ＰＤＣＣＨキャリアインジケータフィールド１１５がＵＬ ｇｒａｎｔ用のＤＣＩフォーマット中に存在すると判定した場合、制御がステップ３１０に移り、サブフレームｎにおいて、ＵＥは、ＰＤＣＣＨキャリアインジケータフィールド１１５及びＰＨＩＣＨキャリアインジケータビット１２０を備えたＵＬ ｇｒａｎｔを、ＤＬコンポーネントキャリア上で検出してデコードする。そして、制御がステップ３１５に移り、サブフレームｎ＋４において、ＵＥは、ＰＵＳＣＨを、ＰＤＣＣＨキャリアインジケータフィールド１１５によって示されるＵＬコンポーネントキャリア上に送信する。そして、制御がステップ３２０に移り、ＵＥは、(ステップ３１０にてデコードした) ＰＨＩＣＨキャリアインジケータビット１２０がダイナミックリンケージ又はセル固有リンケージのいずれを用いるべきことを示しているかを判定する。ステップ３２０にて、ＰＨＩＣＨキャリアインジケータビット１２０がダイナミックリンケージを用いるべきことを示していると判定した場合、制御がステップ３２５に移り、サブフレームｎ＋８において、ＵＥは、ＰＨＩＣＨを、ステップ３１０にて検出したＵＬ ｇｒａｎｔに用いられていた同一のＤＬコンポーネントキャリア上で検出してデコードする。ＵＥは、ＤＬコンポーネントキャリア上のＰＨＩＣＨリソース(ＬＴＥのリリース８と同様に、ＰＨＩＣＨのグループインデックス及びシーケンスインデックス)を識別する。ＴＳ ３６.２１３ ８．７．０版の９．１．２章に詳述されるように、ＰＨＩＣＨリソースは、ＰＵＳＣＨ送信を許可するＤＣＩフォーマット０を備えたＰＤＣＣＨに示される、アップリンクリソース割当の最低のインデックスＰＲＢ(Ｐｈｙｓｉｃａｌ Ｒｅｓｏｕｒｃｅ Ｂｌｏｃｋ)及びＰＵＳＣＨ送信に関連付けられた３ビットのアップリンクＤＭＲＳ(ｄｅｍｏｄｕｌａｔｉｏｎ ｒｅｆｅｒｅｎｃｅ ｓｙｍｂｏｌ)巡回シフトから判定される。
【００３７】
0005477461.tif 000002
【００３８】
一方、ステップ３２０にて、ＰＨＩＣＨキャリアインジケータビット１２０がセル固有リンケージを示すと判定した場合、制御がステップ３３０に移り、サブフレームｎ＋８において、ＵＥは、ステップ３１５で決定したようなＰＵＳＣＨ送信に用いるＵＬコンポーネントキャリアとセル固有の関連性を有するＤＬコンポーネントキャリア上のＰＨＩＣＨをデコードする。ＵＥは、上述した通りにＬＴＥリリース８と同様に、ＤＬコンポーネントキャリア上のＰＨＩＣＨリソース(ＰＨＩＣＨのグループインデックス及びシーケンスインデックス)を識別する。
【００３９】
ステップ３０５にて、ＰＤＣＣＨキャリアインジケータフィールド１１５を備えたＵＬ ｇｒａｎｔの検出が不要である(例えば、図１Ａ又は図１Ｂに示したサブフレーム１００)と判定した場合、制御がステップ３３５に移り、サブフレームｎにおいてＤＬコンポーネントキャリアのために、ＵＥは、ＰＤＣＣＨキャリアインジケータフィールド(１１５)及びＰＨＩＣＨキャリアインジケータビット(１２０)の無いＵＬ ｇｒａｎｔを、ＤＬコンポーネントキャリア上で検出してデコードする。そして、制御がステップ３４０に移り、サブフレームｎ＋４において、ＵＥは、ＰＵＳＣＨを、セル固有の方式(デフォルトの方式)でＤＬコンポーネントキャリアにリンクされたＵＬキャリアコンポーネントキャリア上に送信する。好都合に、ＰＤＣＣＨキャリアインジケータが無く、セル固有をデフォルトの方式として選択することは、ＵＥにとってどのＵＬキャリアコンポーネントがＤＬキャリアコンポーネントに関連付けられているかを判定するための最も容易な方法を提供する。
【００４０】
そして、制御がステップ３４５に移り、サブフレームｎ＋８において、ＵＥは、ＰＨＩＣＨを、ステップ３４０でＰＵＳＣＨ送信に用いたＵＬコンポーネントキャリアにリンクされた(ステップ３３５でＵＬ ｇｒａｎｔを検出したＤＬコンポーネントキャリアと同一である)ＤＬコンポーネントキャリア上で検出してデコードする。ＵＥは、上述した通りにｌｏｎｇ ｔｅｒｍ ｅｖｏｌｕｔｉｏｎリリース８と同様にして、ＤＬコンポーネントキャリア上のＰＨＩＣＨリソース(ＰＨＩＣＨのグループインデックス及びシーケンスインデックス)を識別する。
【００４１】
好都合に、単一のＰＨＩＣＨキャリアインジケータビット１２０は、ＰＨＩＣＨキャリアリンケージの２つの異なる方式を効率良く設定できるようにする。
【００４２】
本発明の実施の形態を説明のために開示したが、当業者には本発明の範囲から逸脱すること無く種々の修正、追加、及び置換が可能であることが理解されよう。従って、本発明は、上記の実施の形態に限定されるものではなく、下記の特許請求の範囲によって定義される。
【００４３】
<参照による引用>
この出願は、２００９年８月１４日に出願されたオーストリア仮特許出願２００９９０３８２９を基礎とする優先権を主張し、その開示の全てをここに取り込む。
【産業上の利用可能性】
【００４４】
本発明は、無線通信システムに適用され、特に１以上のＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)キャリアリンケージ方式間でダウンリンクコンポーネントキャリアを設定する方法に適用される。
【符号の説明】
【００４５】
１００, １１０  サブフレーム
１０５  ＤＣＩペイロード
１１５  ＰＤＣＣＨキャリアインジケータフィールド
１２０  ＰＨＩＣＨキャリアインジケータビット
２００  ＤＬキャリアコンポーネント
２０５  ＵＬキャリアコンポーネント
２１５  ダイナミックリンケージ
２２０  セル固有リンケージ
【図１Ａ】
0005477461.tif 000003
【図１Ｂ】
0005477461.tif 000004
【図２】
0005477461.tif 000005
【図３】
0005477461.tif 000006